(57)【要約】【課題】鮮度保持材用保存切断器の提供。【解決手段】主体前壁面の溝口の下方にある座体の両端に弾性移動機能を具えたガイド手段があり、二つのガイド手段に設けられたガイドピンが下ストッパ板のカム溝に組み合わされ、該座体に複数式鋸歯カッタが固定され、該カッタの鋸歯が複数の異なる高さを具え、該主体の前壁面に別に上ストッパ板があり、上下のストッパ板が共同でラップ通過用の空間を形成し、ガイド手段押圧時、ガイドピンのカム溝に対する作用により下ストッパ板が持ち上がり、下ストッパ板の上端辺をカッタの上端辺より高くし、且つガイド手段が上ストッパ板を駆動して上昇させ、上下のストッパ板を分離させ、ガイド手段開放時、ガイド手段内部のバネがガイド手段を自動的に回復させ、上ストッパ板と下ストッパ板を相互に当接させてラップを位置決めする。【選択図】　　　　図１
0003097299.tif 000002
【実用新案登録請求の範囲】
【請求項１】
鮮度保持材用保存切断器は、
主体とされ、鮮度保持材を収容する内空間を具え、該主体の前側壁に該内空間に連通する溝が設けられ、該溝の下方の主体外壁に座体が設けられ、該座体の両端に軸が設けられた、上記主体と、
ガイド手段とされ、スライド組合せ奉仕で該座体両端の軸に組み合わされ、且つ該ガイド手段と該軸の間にバネが設置され、該ガイド手段がガイド溝とガイドピンを具え、並びに斜面を具えた、上記ガイド手段と、
該座体の上方の主体前側面に設けられた、上ストッパ板と、
下ストッパ板とされ、その両側にカム溝が設けられ、且つこの両側のカム溝が該ガイド手段のガイドピンに組み合わされた、上記下ストッパ板と、
上記座体に固定されたカッタと、
を具え、該ガイド手段が外力作用を受けない時、該下ストッパ板の上端が該カッタの上端より低く、該ガイド手段が外力作用を受ける時、該ガイドピンのカム溝に対する作用により該下ストッパ板の上端が該カッタの上端より高くなることを特徴とする、鮮度保持材用保存切断器。
【請求項２】
請求項１記載の鮮度保持材用保存切断器において、座体の軸の端部にガイド孔が設けられ、該ガイド手段の両端に相互に貫通する第１孔と第２孔が設けられ、且つ該第２孔が該軸に対応し、前記バネが第２孔に設置された後、ピンが第１孔より挿入されて該ガイド孔に挿入され、ガイド手段が該軸に組み合わされたことを特徴とする、鮮度保持材用保存切断器。
【請求項３】
請求項１記載の鮮度保持材用保存切断器において、ガイド手段が凸座を具え、ガイド溝が該凸座に設置され、該凸座の上面に前記斜面が形成されたことを特徴とする、鮮度保持材用保存切断器。
【請求項４】
請求項１記載の鮮度保持材用保存切断器において、上ストッパ板が垂直部と水平部を具え、該垂直部の両側に垂直溝が設けられ、該垂直溝の下端が拡大孔とされ、前記主体の前壁面の両側に柱状ボタンが設けられ、該柱状ボタンの端部に該拡大孔より小さい頭部があり、該柱状ボタンが該拡大孔を貫通し、柱状ボタンが該垂直溝に滑り込まされたことを特徴とする、鮮度保持材用保存切断器。
【請求項５】
請求項１記載の鮮度保持材用保存切断器において、カッタが複数組の異なる高さの鋸歯セットを具え、該鋸歯セットの配列方式が高いものから低いものへ、さらに低いものから高いものへ、とされたことを特徴とする、鮮度保持材用保存切断器。
【請求項６】
請求項５記載の鮮度保持材用保存切断器において、高鋸歯セット、中鋸歯セット、低鋸歯セットを具え、該高鋸歯セットが複数の高鋸歯が配列されてなり、該中鋸歯セットが複数の中鋸歯が配列されてなり、該低鋸歯セットが複数の低鋸歯が配列されてなることを特徴とする、鮮度保持材用保存切断器。
【請求項７】
請求項１記載の鮮度保持材用保存切断器において、主体の両側が貫通して鮮度保持材の挿入に供され、並びにこの貫通部分に側板が設置されたことを特徴とする、鮮度保持材用保存切断器。
【請求項８】
請求項７記載の鮮度保持材用保存切断器において、主体の両側に近い上面と下面にそれぞれ係止孔が設けられ、且つ側板の上端と下端にそれぞれ該係止孔に対応する突出部が設けられ、該突出部が該係止孔に挿入されて側板が主体に固定されたことを特徴とする、鮮度保持材用保存切断器。
【請求項９】
請求項１記載の鮮度保持材用保存切断器において、座体の垂直壁面に複数のピン孔が設けられ、且つカッタの垂直壁面に複数の、これらピン孔に対応するピンが設置され、該ピンの該ピン孔への挿入によりカッタ座体に固定されたことを特徴とする、鮮度保持材用保存切断器。
【考案の詳細な説明】
【０００１】
【考案の属する技術分野】
本考案はＰＶＣ鮮度保持ラップ或いはアルミ箔等の鮮度保持材を保存すると共に、該鮮度保持材の取り出し使用、切り取りに便利な台所用品に関する。
【０００２】
【従来の技術】
食品を新鮮に保持し、汚染を防止したりベーキング用途を考慮して、鮮度保持材により食品を被包することは、家庭生活特に厨房で一般に使用される手段である。一般に鮮度保持材はＰＶＣ材料で形成されたフィルムとされるか、シート状のアルミ箔とされ、ＰＶＣラップフィルム或いはアルミ箔のいずれであっても、一般にロール状に形成されて、紙箱中に保存されて販売されている。この紙箱には鋸歯構造を具えたカッタが付設されてい。使用時には、鮮度保持材を必要な長さ引き出した後に、カッタを利用して切断する。しかし、このような操作は、片手で鮮度保持材包装箱を保持し、もう一方の手で食品或いは食器を被覆或いは包装する操作を必要とし、ゆえに明らかに不便である。
【０００３】
このような欠点を無くすため、いわゆるラップカッターが販売され、その構造は、カッタ本体に横向きに移動するナイフが設けられ、ラップフィルム或いはアルミ箔等鮮度保持材が本体内に収容され、鮮度保持材を必要な長さ引き出した後に、手でカッタを横向きに移動させて鮮度保持材を切断することができる。しかし、このような従来のラップカッターにも欠点があり、それは、引っ張り出された鮮度保持材の一側がナイフで切断されて切り口が形成される時、応力不均一となり、この切り口部分が軟化、下垂し、まっすぐに切断できなくなり、特に薄く軟らかいラップフィルムは手でカッタを横向きに移動させて切断する時、ラップフィルムの幅が８−２２英インチとされ、一側端が切開される時に応力不均一により切り口部分が巻き上がり真っ直ぐな切断に不利となる。言い換えると、鮮度保持材中、特にラップフィルムを切断する時、ラップフィルムに巻きや皺、絡みつきの現象が発生し、使用者が手で鮮度保持材を新たに整理、展開させなければならず、手で鮮度保持材を取り扱う時に手に付着した異物や細菌が鮮度保持材に付着し、鮮度保持材で食品を覆う時に食品の痛みや腐敗をもたらしやすくなる。
【０００４】
さらに、周知のラップカッターのナイフには一直線に等高配置された鋸歯を具え、このような鋸歯は等高設計であるため、左から右或いは右から左にラップフィルムを切断する時、ラップフィルムが同時に複数の鋸歯の作用力を受けて各鋸歯のラップフィルムに対する力が減少し、このためラップフィルムを切断しにくくなり、大きな力を加えなければ切断できなくなり、且つ後段を切断する時、後端が真っ直ぐにならない現象が発生しやすい。このため周知のラップカッターには改良の必要がある。
【０００５】
【考案が解決しようとする課題】
本考案の第１の目的は周知の包装箱内に収容された鮮度保持材が直接使用される場合の不便さを解決することにある。
【０００６】
本考案の第２の目的は、周知のラップカッターのラップフィルム切断時の切り口部分の軟化、下垂により切断の平坦度影響が生じ、さらには切断の順調性に影響が生じ、ラップの切断された切り口部分に巻き上がりや皺が生じて切断と包装に不利となる欠点を解決することにある。
【０００７】
本考案の第３の目的は、周知のラップカッターのナイフが順調且つ平坦にラップを切断できない欠点を解決することにある。
【０００８】
【課題を解決するための手段】
請求項１の考案は、鮮度保持材用保存切断器は、
主体とされ、鮮度保持材を収容する内空間を具え、該主体の前側壁に該内空間に連通する溝が設けられ、該溝の下方の主体外壁に座体が設けられ、該座体の両端に軸が設けられた、上記主体と、
ガイド手段とされ、スライド組合せ奉仕で該座体両端の軸に組み合わされ、且つ該ガイド手段と該軸の間にバネが設置され、該ガイド手段がガイド溝とガイドピンを具え、並びに斜面を具えた、上記ガイド手段と、
該座体の上方の主体前側面に設けられた、上ストッパ板と、
下ストッパ板とされ、その両側にカム溝が設けられ、且つこの両側のカム溝が該ガイド手段のガイドピンに組み合わされた、上記下ストッパ板と、
上記座体に固定されたカッタと、
を具え、該ガイド手段が外力作用を受けない時、該下ストッパ板の上端が該カッタの上端より低く、該ガイド手段が外力作用を受ける時、該ガイドピンのカム溝に対する作用により該下ストッパ板の上端が該カッタの上端より高くなることを特徴とする、鮮度保持材用保存切断器としている。
請求項２の考案は、請求項１記載の鮮度保持材用保存切断器において、座体の軸の端部にガイド孔が設けられ、該ガイド手段の両端に相互に貫通する第１孔と第２孔が設けられ、且つ該第２孔が該軸に対応し、前記バネが第２孔に設置された後、ピンが第１孔より挿入されて該ガイド孔に挿入され、ガイド手段が該軸に組み合わされたことを特徴とする、鮮度保持材用保存切断器としている。
請求項３の考案は、請求項１記載の鮮度保持材用保存切断器において、ガイド手段が凸座を具え、ガイド溝が該凸座に設置され、該凸座の上面に前記斜面が形成されたことを特徴とする、鮮度保持材用保存切断器としている。
請求項４の考案は、請求項１記載の鮮度保持材用保存切断器において、上ストッパ板が垂直部と水平部を具え、該垂直部の両側に垂直溝が設けられ、該垂直溝の下端が拡大孔とされ、前記主体の前壁面の両側に柱状ボタンが設けられ、該柱状ボタンの端部に該拡大孔より小さい頭部があり、該柱状ボタンが該拡大孔を貫通し、柱状ボタンが該垂直溝に滑り込まされたことを特徴とする、鮮度保持材用保存切断器としている。
請求項５の考案は、請求項１記載の鮮度保持材用保存切断器において、カッタが複数組の異なる高さの鋸歯セットを具え、該鋸歯セットの配列方式が高いものから低いものへ、さらに低いものから高いものへ、とされたことを特徴とする、鮮度保持材用保存切断器としている。
請求項６の考案は、請求項５記載の鮮度保持材用保存切断器において、高鋸歯セット、中鋸歯セット、低鋸歯セットを具え、該高鋸歯セットが複数の高鋸歯が配列されてなり、該中鋸歯セットが複数の中鋸歯が配列されてなり、該低鋸歯セットが複数の低鋸歯が配列されてなることを特徴とする、鮮度保持材用保存切断器としている。
請求項７の考案は、請求項１記載の鮮度保持材用保存切断器において、主体の両側が貫通して鮮度保持材の挿入に供され、並びにこの貫通部分に側板が設置されたことを特徴とする、鮮度保持材用保存切断器としている。
請求項８の考案は、請求項７記載の鮮度保持材用保存切断器において、主体の両側に近い上面と下面にそれぞれ係止孔が設けられ、且つ側板の上端と下端にそれぞれ該係止孔に対応する突出部が設けられ、該突出部が該係止孔に挿入されて側板が主体に固定されたことを特徴とする、鮮度保持材用保存切断器としている。
請求項９の考案は、請求項７記載の鮮度保持材用保存切断器において、座体の垂直壁面に複数のピン孔が設けられ、且つカッタの垂直壁面に複数の、これらピン孔に対応するピンが設置され、該ピンの該ピン孔への挿入によりカッタ座体に固定されたことを特徴とする、鮮度保持材用保存切断器としている。
【０００９】
【考案の実施の形態】
本考案の第１の技術手段は、主体に横向きに且つ固定されたカッタを設置し、鮮度保持材を主体より引き出す時に、鮮度保持材を該全体のカッタに当てて並びに力を入れれば、切断できるようにする、というものである。
【００１０】
本考案の第２の技術手段は、カッタの鋸歯構造を改良して、複数の間隔配置された異なる高さの鋸歯セットとなし、鮮度保持材の切断を容易とする、というものである。
【００１１】
本考案の第３の技術手段は、上ストッパ板と下ストッパ板を設け、該上ストッパ板、下ストッパ板を制御して同時に上昇或いは下降させられるようにし、上下のストッパ板がいずれも上昇する時、下ストッパ板がカッタの後側を遮蔽し、操作者が鮮度保持材を引き出す時に手を傷つけるのを防止し、且つ上ストッパ板に鮮度保持材を圧迫させずに鮮度保持材の引き出しに便利とし、上下のストッパ板がいずれも下降する時、下ストッパ板の上端辺がカッタより低い位置に移動するようにし、並びに上ストッパ板が鮮度保持材を押さえて鮮度保持材を位置決めするようにする、というものである。
【００１２】
本考案の第４の技術手段は、両手で両側のガイド手段を同時に押圧或いは開放することで、上述の上下のストッパ板の上昇或いは下降の制御が行えるようにする、というものである。
【００１３】
本考案の鮮度保持材用保存切断器は、主体前壁面に設けられた溝口の下方に座体が設けられ、該座体の両端に弾性移動機能を具えたガイド手段が設けられ、二つのガイド手段に設けられたガイドピンが下ストッパ板のカム溝に組み合わされ、該座体に複数式鋸歯カッタが固定され、該カッタに設けられた鋸歯が複数の異なる高さを具え、ラップの切り取りに便利で絡みつき現象を発生させず、該主体の前壁面に別に上ストッパ板が設けられ、上下のストッパ板が共同でラップを通過させる空間を形成し、ガイド手段を押圧する時、ガイドピンのカム溝に対する作用により下ストッパ板が持ち上がり、下ストッパ板の上端辺をカッタの上端辺より高くし、且つガイド手段が上ストッパ板を駆動して上昇させ、上下のストッパ板を分離させ、これにより使用者の手部がカッタにより傷つくのを防止しつつラップの引き出しを可能とし、ガイド手段を開放する時、ガイド手段内部に設けられたバネがガイド手段を自動的にもとの位置に回復させ、下ストッパ板の上端辺をカッタの上端辺より低くし、並びに上ストッパ板と下ストッパ板を相互に当接させてラップを位置決めする。
【００１４】
【実施例】
図１と図２を参照されたい。本考案は主体１の前方に座体１４が設置され、座体１４の上方に上ストッパ板６が設置され、座体１４の前方にカッタ５が固定され、該座体１４の両端にそれぞれガイド手段２が設置されている。該主体１の両側には側板３が設けられて主体１の側辺を閉じている。
【００１５】
図３は本考案の詳細な構造を示し、図示されるように、主体１は内空間を具えた箱形体とされ、該主体１の内部が隔板１０で上方と下方に位置する上空間１０１と下空間１０２に区画されて、二種類の異なる鮮度保持材、例えばＰＶＣラップフィルムとアルミ箔を収容するのに供される。下空間１０２の前側壁に前述の内空間に連通する溝１３あり、該溝１３の下方の主体１外壁面に座体１４が固定されている。該座体１４の両端に円形の軸１４１が設けられ、各軸１４１の端部に軸１４１の中心軸線に平行に適当な深さを有するガイド孔１４２が設けられている。座体１４の上面は突出する円弧面とされるのがよい。主体１の前壁面の両側の適当な位置にそれぞれ柱状ボタン１１が設けられ、該柱状ボタン１１の好ましい実施例は、円柱形の端部に一体に直径が大きな頭部が結合され、釘のような形態とされる。主体１の両側の上面と下面にそれぞれ係止孔１２が設けられ、このほか設置された側板３の上端と下端に該係止孔１２に対応する突出部３２が設けられている。鮮度保持材を挿入した後、側板３を僅かに弯曲させ、さらに上端と下端の突出部３２を上端と下端の係止孔１２に挿入すれば、側板３が主体１の両側を閉じる。鮮度保持材を使い切って交換が必要となった時は、柱状物で主体１上方の係止孔１２より突出部３２を下向きに押せば、側板３が弯曲して順調に側板３を取り外せる。該側板３の内側面の内側面には軸柱３１が設けられ、この軸柱３１はロール状の鮮度保持材の両端に挿入され、鮮度保持材を主体１内部で回転させられる。
【００１６】
本考案はまた、二つのガイド手段２、二つのバネ２６、下ストッパ板４、上ストッパ板６とカッタ５を具えている。上述のガイド手段２の両端に第１孔２１と第２孔２２が設けられ、該第１孔２１と第２孔２２の直径は異なるが、ガイド手段２の内部で相互に連通している。該第２孔２２の内径は上述の軸１４１の直径に対応し、バネ２６が第２孔２２内に挿入された後、さらに軸１４１が第２孔２２に通され、さらにピン２５が第１孔２１よりガイド手段２を通り並びにバネ２６を通過してガイド孔１４２内に挿入され、これによりガイド手段２が軸１４１に組み合わされると共に、バネ２６が軸１４１の端部と第２孔２２の底部の間に配置される。該軸１４１の第２孔２２への挿入はスライド組合せ方式により組み合わされ、軸１４１とガイド手段２の間が軸方向に相対移動可能とされる。上述のガイド手段２と第１孔２１の同じ端部の後側に凸座２４が設けられ、該凸座２４が水平のガイド溝２４１を具えている。ガイド手段２の前側壁に一体成形方式でガイドピン２３が設置されている。ガイド手段２が押されて座体１４の方向に移動する時、該バネ２６が圧縮され（図５参照）、ガイド手段２が開放される時、バネ２６の弾力によりガイド手段２がもとの位置に回復する（図６参照）。
【００１７】
下ストッパ板４はロッド状を呈し、その両端に大きな面積を具え、この大きな面積の区域にカム溝４１が設けられ、下ストッパ板４の両端のカム溝４１は相互に対称とされ、各カム溝４１がいずれも高端４１１と低端４１２を具えている。該下ストッパ板４の両端のカム溝４１はガイド手段２のガイドピン２３が貫通して組み合わされる。該バネ２６が圧縮されない自然の状態で、該ガイドピン２３はカム溝４１の高端４１１に位置する（図７）。ガイド手段２が押されてバネ２６が圧縮される時、ガイドピン２３がカム溝４１に沿って移動して下ストッパ板４を押して上昇させる（図８）。
【００１８】
本考案のカッタ５は本体上端辺に位置した系列をなす鋸歯セットを具え、各一つの鋸歯セットは異なる高さを具備する。図１１に示されるように、本考案によると、カッタ５の上端辺に設けられた鋸歯セットは少なくとも三種類の高鋸歯５１、中鋸歯５２、低鋸歯５３の三種類の異なる高さの鋸歯を具え、そのうち複数の鋸歯５１が配列されて高鋸歯セットが形成されている。複数の中鋸歯４２が配列されて中鋸歯セットが形成され、複数の低鋸歯が配列されて低鋸歯セットが形成されている。
【００１９】
各鋸歯セットの配列方式は高鋸歯５１、中鋸歯５２、低鋸歯５３、さらに低鋸歯５３から中鋸歯５２、高鋸歯５１の順序で配列され、これにより鮮度保持材が上から下に直線状に切断される時、まず高鋸歯で切断され、その後、順に中鋸歯５２と低鋸歯５３で切断され、こうして鮮度保持材が順調に切断され、且つ整った切断が行われ、完全に巻きや絡みの問題を発生しない。上述のカッタ５本体は一側面に複数のピン５４が設けられ、これらピン５４の直径は該座体１４の前方壁面のピン孔１４３よりやや大きく、これらピン５４がこれらピン孔１４３に緊合されてカッタ５が座体１４に固定される。
【００２０】
本考案の上ストッパ板６は、連接されてＬ形状を形成する垂直部６２と水平部６１を具え、該垂直部６２の両側に垂直溝６２１が設けられ、該垂直溝６２１の下端は拡大孔６２２とされ、これにより柱ボタン１１が該垂直溝６２１に滑りこまされて、上ストッパ板６が主体１と垂直方向にあって相対移動可能とされる。上述の水平部６１の下面に座体１４上面の円弧に対応する凹んだ円弧面６１１が設けられている。
【００２１】
本考案の各部品組合せ後の構造は図４のようであり、図４には本考案の主体１の上下の空間に二種類の異なる鮮度保持材７が収容された状態も示されている。図９に示されるように、鮮度保持材７は溝１３より引き出された後、ガイド手段２のガイド溝２４１、及び座体１４上面と上ストッパ板６の水平部６１の間を通り、その後、下ストッパ板４とカッタ５を通過する。図９に示されるように、本考案のガイド手段２は外力作用を受けない自然の状態にあって、該下ストッパ板４の上端がカッタ５の鋸歯上端より低く、また上ストッパ板６の水平部６１が座体１４の上面に接近し、鮮度保持材７を圧迫し位置決めし、鮮度保持材７が主体１内部に縮入しないものとされる。鮮度保持材７を引き出したい時は、使用者は両手で二つのガイド手段２を押して軸方向に移動させて接近させ、ガイドピン２３をカム溝４１中で移動させて下ストッパ板４を押動して上昇させ、これにより下ストッパ板４の上端をカッタ５の鋸歯上端より高くし、使用者がカッタ５方向に鮮度保持材７を引き出す時に手部がカッタ５により傷つけられるのを防止する。ガイド手段２が移動する過程で、その凸座２４の斜面２４０を利用して上ストッパ板６を押動して上昇させ、上ストッパ板６の下面と座体１４の上面を分離させ（図１０）、鮮度保持材を引き出せるようにする。
【００２２】
以上は本考案の実施範囲を限定するものではなく、本考案に基づきなしうる細部の修飾或いは改変は、いずれも本考案の請求範囲に属するものとする。
【００２３】
【考案の効果】
従来の技術と比較して、本考案は、平らに整った状態で、薄く軟らかいラップフィルム或いはアルミ箔を切断できる。
【００２４】
本考案は鮮度保持材の引き出し、切断及び位置決めの操作が便利である。
【００２５】
本考案は安全防護の設計を具備し、鮮度保持材を引き出す前にカッタのエッジ後面を遮蔽でき、これにより後方より前方に鮮度保持材を引き出す時に手部を傷つけるのを防止する。
【図面の簡単な説明】
【図１】本考案の全体外観形態の斜視図である。
【図２】本考案の上ストッパ板取り下げ時の状態の斜視図である。
【図３】本考案の各部品の組合せ関係を示す分解斜視図である。
【図４】本考案の組合せ後の構造の側面平面断面図である。
【図５】本考案のガイド手段が軸に組み合わせられ、しかし未だ圧迫されていない状態の局部平面断面図である。
【図６】本考案のガイド手段が軸に組み合わせられ、並びに圧迫されて下ストッパ板を上昇させた状態の局部断面図である。
【図７】本考案のガイド手段が圧迫されておらず、下ストッパ板が下方に位置する状態の局部平面図である。
【図８】本考案のガイド手段が圧迫されて、下ストッパ板が上昇した状態の局部平面図である。
【図９】本考案の下ストッパ板の上端がカッタ上端より下で、並びに上ストッパ板と下ストッパ板を利用して鮮度保持材が位置決めされた側面局部断面図である。
【図１０】本考案の下ストッパ板の上端がカッタ上端より上で、並びに上ストッパ板と下ストッパ板が分離され、これにより鮮度保持材が引き出し可能となった側面局部断面図である。
【図１１】本考案のカッタの各種の鋸歯配列形態の局部立体図である。
【符号の説明】
１　主体　　　　　１４２　ガイド孔　　　　　２５　ピン
１０　隔板　　　　１４３　ピン孔　　　　　　２６　バネ
１０１　上空間　　２　ガイド手段　　　　　　３　側板
１０２　下空間　　２１　第１孔　　　　　　　３１　軸柱
１１　柱状ボタン　２２　第２孔　　　　　　　３２　突出部
１２　係止孔　　　２３　ガイドピン　　　　　４　下ストッパ板
１３　溝　　　　　２４　凸座　　　　　　　　４１　カム溝
１４　座体　　　　２４０　斜面　　　　　　　４１１　高端
１４１　軸　　　　２４１　ガイド溝　　　　　４１２　低端
５　カッタ　　　　５４　ピン　　　　　　　　６２　垂直部
５１　高鋸歯　　　６　上ストッパ板　　　　　６２１　垂直溝
５２　中鋸歯　　　６１　水平部　　　　　　　６２２　拡大孔
５３　低鋸歯　　　６１１　円弧面　　　　　　７　鮮度保持材
【図１】
0003097299.tif 000003
【図２】
0003097299.tif 000004
【図３】
0003097299.tif 000005
【図４】
0003097299.tif 000006
【図５】
0003097299.tif 000007
【図６】
0003097299.tif 000008
【図７】
0003097299.tif 000009
【図８】
0003097299.tif 000010
【図９】
0003097299.tif 000011
【図１０】
0003097299.tif 000012
【図１１】
0003097299.tif 000013